(57)【要約】【課題】  織物の模造品防止、流通履歴管理、生産者履歴等の顧客サービス、精練・染色管理等が可能となるＩＣタグを取付けた織物を提供する。【解決手段】  ＩＣタグを、微小のＩＣチップを線状素材に担持させた糸状物とし、これを、布帛の経糸又は緯糸に沿わせて、布帛の一部に織り込む、又は織物内部に空隙のできる風通組織の織物において、その空隙にＩＣタグを挿入する。ＩＣタグは、織物の精練や染色に耐えるように、表裏を耐水性、耐薬品性あるフィルムで覆って使用するのがよい。【選択図】  なし 【特許請求の範囲】
【請求項１】
微小ＩＣチップを線状素材に担持させた糸状物を、布帛の経糸又は緯糸に沿わせて、布帛の一部に織り込んだものであることを特徴とするＩＣタグを取付けた織物。
【請求項２】
前記ＩＣチップがアンテナ内蔵型のチップである請求項１の織物。
【請求項３】
前記線状素材がアンテナとして機能するものである請求項１の織物。
【請求項４】
前記糸状物の表裏が耐薬品性のあるプラスチック素材で覆われている請求項１〜３いずれか１項の織物。
【請求項５】
微小ＩＣチップを線状素材に担持させた糸状物を、織物の反末又は耳部にブランド名や産地名などを織り込む繊維に沿わせて織り込まれている請求項１〜４いずれか１項の織物。
【請求項６】
織物内部に空隙のできる組織の織物であって、その空隙にＩＣタグが挿入されていることを特徴とするＩＣタグを取付けた織物。
【発明の詳細な説明】
【技術分野】
【０００１】
本発明は、模造品防止、流通履歴管理、精練・染色管理等が可能となるＩＣタグを取付けた織物に関する。
【背景技術】
【０００２】
織物、特に着尺などの反物の模造品対策として次のような方法がとられている。
１．反末に産地名・ブランド名等の印章を捺印する。
２．反末にジャガード装置で産地名・ブランド名等を柄付け製織する。
３．耳部にブランド名を織り込む。あるいは耳組織を変える。
４．織り上げ製品にラベル状シートを貼付・縫い付ける。
５．ラベル状タグを添付する。
６．反末に産地名・ブランド名等を刺繍する。
【０００３】
しかし、これらの方法には次のような欠点があった。
上記１は、印章の偽造が容易である。
上記２及び３は、ジャガード装置のない職機では作成できない。設計分解すれば偽造が容易である。
上記４は、シートを偽造、あるいは剥がして再利用することができる。
上記５は、再利用・偽造が容易である。
上記６は、偽造が容易である。
【０００４】
別途、衣服にＩＣタグ（電子タグ、無線タグ又はＲＦＩＤともいう）を取付け、その管理をすることが種々試みらているが、その方法は、例えば特許文献１や２に示されるように、ＩＣタグを着脱可能な状態で取付けるものであり、外から見える状態で取付けられるため、この方法では容易にＩＣタグを外したり、交換したりでき、織物の模造品防止などに使用することはできなかった。
【特許文献１】特開平１１−３１２２２４号公報
【特許文献２】特開２００３−１０５６０９号公報
【発明の開示】
【発明が解決しようとする課題】
【０００５】
本発明は、織物の模造品防止、流通履歴管理、生産者履歴等の顧客サービス、精練・染色管理等が可能となるＩＣタグを取付けた織物を提供することを課題とする。
【課題を解決するための手段】
【０００６】
本発明では、ＩＣタグを織り込むことによって、上記課題を解決した。
まず、本発明の織物は、ＩＣタグを、微小のＩＣチップを線状素材に担持させた糸状物とし、これを、布帛の経糸又は緯糸に沿わせて、布帛の一部に織り込んだものである。
【０００７】
ＩＣチップを線状素材に担持させた糸状物において、ＩＣチップはアンテナ内蔵型であっても、前記線状素材はアンテナとして機能するものであってもよいが、糸状物はＩＣチップをアンテナと共に、糸状担体に担持させ、箔糸状として使用するのが好ましい。
【０００８】
なお、前述の如き微小ＩＣチップを線状素材に担持させた糸状物は、織物の反末又は耳部にブランド名や産地名などを織り込む繊維に沿わせて織り込むことにより、目視的には、通常の反物と同様、単に一般的な織糸又は刺繍糸でブランド名や産地名等が織り込まれていることが感知できるだけであり、ＩＣチップの存在は感知できない織物の提供が可能となる。この場合、メーカーなどにとっては、ＩＣチップの織り込み位置が明確であるため、ＩＣチップに記録された情報を管理し、織物の流通履歴管理や生産者履歴等の顧客サービスを安定して実施可能となり、しかも、第三者は、ＩＣチップが織り込まれていることを感知できないので、同様の織物を模造しても、ＩＣチップを織り込むことができず、模造品防止として非常に有用となる。
【０００９】
一般に、織物は、製織後、精練・染色などの工程を適用することとなるが、織物に織り込まれたＩＣチップを含む糸状物は、これらの工程に耐えるものである必要がある。そのためには、ＩＣチップとアンテナを耐水性、耐薬品性及び耐熱性ある樹脂で被覆してものとするのが好ましい。この場合、一面をプラスチックフィルム（例えばポリエステルフィルム）で被覆し、他面は樹脂コーディング又はプラスチックフィルムにより被覆し、平箔糸の形状としたものを糸状物として、使用するのがよい。
【００１０】
このためのＩＣチップとしては、アンテナ内蔵型の微小ＩＣチップや線状の外部アンテナが付いている超小型の印刷アンテナインレットなどが非常に効果的に使用できる。
【００１１】
更に、本発明は、織物内部に空隙のできる織物（例えば風通組織の織物）であって、その空隙にＩＣタグが挿入されている織物も対象とする。この場合、ＩＣチップとしては、前述の如く糸状物に形成したものだけでなく、ボタン状や平板状のものも使用可能となる。なお、精練、染色などという点から、この場合も、ＩＣチップは、表裏をポリエステルフィルムなどで覆って使用するのが好ましい。
【発明を実施するための最良の形態】
【００１２】
次に実施例に基づいて本発明の説明をするが、本発明がこれによって限定されるものではない。
［実施例１］
ＩＣチップに外部アンテナを取付けた１．５ｍｍ×５５ｍｍのＩＣタグ（インレット）を、生糸３１中２本諸撚糸を糸密度９５本／ｃｍで経糸に用い、生糸２１中６本強諸撚糸、生糸２１中８本諸撚糸を糸密度４０本／ｃｍで交互に緯糸に用いた織物の製織途中で、織機の開口状態を止め、開口した経糸の間に、横方向から引箔用の竹ヘラを使用し、先に挿入されている緯糸に沿わせて、織物幅のほぼ中央部に箔糸状のＩＣタグが位置するように挿入する。
挿入部の織機の操作方法は、寸動により筬打を行う。また、先に挿入された緯糸と同口に打ち込むことにより、ＩＣチップのアンテナ部等を損傷することなく織り込むことができ、その後、通常に織機を運転し、ＩＣタグの織り込まれた織物を得た。
【００１３】
［実施例２］
経糸及び緯糸に下記のものを使用して実施例１と同様の方法でＩＣタグを織り込んだ４種の織物を製造した。
１）経糸：ポリエステル５０Dを糸密度５０本／ｃｍで用いた
緯糸：ポリエステル１００Ｄを糸密度３２本／ｃｍで用いた
２）経糸：キュプラ６０Dを糸密度５０本／ｃｍで用いた
緯糸：レーヨン７５Ｄを糸密度３３本／ｃｍで用いた
３）経糸：綿糸８０Ｓ／２を糸密度２６本／ｃｍで用いた
緯糸：綿糸８０Ｓ／２を糸密度２７本／ｃｍで用いた
４）経糸：レーヨン７５Ｄ強撚糸を経糸密度５０本／ｃｍで用いた
緯糸：レーヨン７５Ｄ強撚糸を緯糸密度３６本／ｃｍで用いた
【００１４】
［実施例３］
実施例１で使用したＩＣタグの表裏をポリエステルフィルムで覆った箔糸を製造し、これを使用して、実施例１及び２と同様の方法で５種の織物を製造した。
【００１５】
［実施例４］
アンテナ内蔵型の微小ＩＣチップを和紙に貼着し、その表裏にポリエステルフィルムを積層したものを、１．５ｍｍ幅にスリットし、ＩＣチップを含む平箔糸を製造し、この平箔糸を実施例１で使用したＩＣチップの代わりに緯糸の一部に使用し、他の組織は実施例１及び２の織物と同様にして、織物を製造した。
【００１６】
［実施例５］
実施例１の織物を、ジャガードあるいはドビー機等の開口装置を搭載した織機により製織した。ＩＣタグを織り込みたい部分に、織物内部に空隙のできる風通組織とし、ＩＣタグが入る程度の空隙ができる部分を作成した。  
組織により、その空隙が閉じられる前に織機を開口状態で停止させ、その空隙に実施例１又は３で使用したＩＣタグを挿入し、ＩＣタグの織り込まれた織物を得た。
【００１７】
［実施例６］
ＩＣタグとしてボタン型の微小チップ（ポリエステルフィルムで表裏両面をコートしたもの）を使用し、実施例５と同様の方法で、ＩＣタグを織り込んだ織物を得た。
【００１８】
［実施例７］
実施例３の平箔糸を、経糸の一本となるように整経し、実施例１と同様の織物を製造した。
【００１９】
［実施例８］
実施例１の織物において、ＩＣタグを織り込み位置が製織されかかった時、織機を停止し、織物の一番端の経糸の一部に、ダブルカバーリングした糸状のＩＣタグを結び、ＩＣタグを織端に有する織物を製織した。
なお、ダブルカバーリングした糸状のＩＣタグとしては、５０ｃｍ間隔で糸状のフィルムにＩＣチップを接着させ、ＩＣチップ面を樹脂でコートした糸状のフィルムを芯糸とし、ダブルカバーリング撚糸機を使用して、生糸２１中４本で糸状のフィルムを被覆するように巻付けたものを使用した。
【００２０】
［実施例９］
紋意匠ちりめんの規格で、実施例１と同様の方法を実施した。この際、ＩＣタグはＩＣチップを貼り付けたポリエステルフィルムに貼り付けた５０ｃｍ長さの箔糸状とし、これを引箔用の竹ヘラで、ちりめん地の端織に先に挿入された緯糸に沿わせるように合わせて、織物幅のほぼ中央にＩＣチップが位置するように織り込んだ。
【００２１】
各実施例１〜９で得た織物はいずれも、ＩＣタグが露出することなく、有効に機能し、しかも、使用されたＩＣタグを他の製品に付け替えて、織物を偽造したりできないため、織物の模造品防止や流通履歴管理などに非常に役立つものとなった。更に上記実施例において、ポリエステルフィルムで覆ったＩＣタグを使用した織物はいずれも、精練、染色後も、ＩＣタグとしての機能が衰えることがないため、特に有用であった。
【００２２】
かかる本発明の織物は、特に縮緬などの反物の端織に製造元などをプリント表示すると同時に、その近辺にＩＣチップを通常の引き箔と同様の操作で織り込むのが効果的であり、外観は普通の縮緬と変わらず、ポリエステルフィルムで挟んだＩＣタグの使用では、縮緬製織後に実施される１００℃〜１２０℃で２時間〜１０時間程度行われる精練工程にも、１００℃で行われる浸染工程、加熱蒸気を伴う蒸し工程にも耐えることができるため、精練工場に入荷した時点で、ＩＤのチェックをしておけば、最終商品とし販売された後、ＩＣタグの入った箔が切り取られ、再度縮緬の製織に使用されても、精練工場に入荷した時点で不正なものであることが確認できることとなる。
【００２３】
なお、ＩＣタグの織り込みに当たって、金属が存在するとＩＣタグが機能低下するので、縮緬などの反物の端織にＩＣタグを織り込む場合、端織のマークに使用する糸は、アルミニウムや銀を蒸着した糸を使用せず、有機顔料で着色したパール糸などを使用するのがよい。
【００２４】
また、ＩＣタグを織り込んだ位置が外観でもわかるようにしても、ＩＣタグは織り込まれているため、精練工程などでチェックすることにより、ＩＣタグが再利用することができなくなり、所期の目的を達成できる。
【００２５】
和装反物に、ＩＣタグを織り込むための糸の製法及びその使用法の一例を示すと次の通りである。
［製法］１〜２ｍｍ幅程度の糸状のフィルムに一定間隔（例えば５０ｃｍ間隔）でＩＣチップを樹脂で接着させ、同時にＩＣチップ表面を樹脂コートし、ＩＣチップを装着した箔糸を得た。この箔糸を芯糸として、ダブルカバーリング撚糸機で、色付けしたフィルムや生糸を飾り糸として飾り撚糸を製造し、この糸にＩＣチップの存在する間隔のほぼ中央部にカッティング用のマークをいれた。
［使用法］上記製法で得た糸は、カッティング用のマークの箇所で切りながら、引箔用の竹ヘラなどを使用して織物に挿入して織り込む。または、連続した糸のまま、上管または無心箔用ボビンに巻いてシャトルに納め、このシャトルを用いて織物にＩＣタグを織り込む。